(57)【要約】【課題】モニターに表示する監視映像を自動的に切り換えつつ、オペレータによるモニターの注視を促すことにより、監視映像の見逃しを回避して、的確な監視作業を実現するとともに迅速な対処を可能にすること。【解決手段】複数の監視カメラ１１〜１６の撮影映像を予め設定されている切換タイミングで順次にモニター２３に出力表示する監視システム１０に適用して、該モニターの映像を注視することを促して該監視対象の監視を促進する音響告知装置２５であって、モニターに表示出力する監視カメラ毎の映像信号を検出するとともに、同期タイマー２６が監視カメラの撮影する監視対象の切換タイミングを繰り返し計時して、これらの検出信号およびタイマー信号を受け取ったときに注視タイミングとしてチャイムを鳴動させる。【選択図】図１
2008098780.tif 000002
【特許請求の範囲】
【請求項１】
複数個所に設置されている監視カメラの撮影する監視対象の映像を予め設定されている切換タイミングで順次にモニターに出力表示する監視制御を、予め設定されている監視タイミングで繰り返し実行する監視システムに適用して、該モニターの映像を注視することを促して該監視対象の監視を促進する監視促進システムであって、
モニターに表示出力する監視カメラ毎の表示タイミングに略同期する信号を出力する同期タイマーと、該同期タイマーからのタイマー信号を受け取ってオペレータに該モニターの注視を促す注視タイミングを報知する報知手段と、を備えることを特徴とする監視促進システム。
【請求項２】
複数個所に設置されている監視カメラの撮影する監視対象の映像を予め設定されている切換タイミングで順次にモニターに出力表示する監視制御を、予め設定されている監視タイミングで繰り返し実行する監視システムに適用して、該モニターの映像を注視することを促して該監視対象の監視を促進する監視促進システムであって、
モニターに表示出力する監視カメラ毎の映像信号を検出して信号を出力する信号検出手段と、該信号検出手段からの検出信号を受け取ってオペレータにモニターの注視を促す注視タイミングを報知する報知手段と、を備えることを特徴とする監視促進システム。
【請求項３】
複数個所に設置されている監視カメラの撮影する監視対象の映像を予め設定されている切換タイミングで順次にモニターに出力表示する監視制御を、予め設定されている監視タイミングで繰り返し実行する監視システムに適用して、該モニターの映像を注視することを促して該監視対象の監視を促進する監視促進システムであって、
モニターに表示出力する監視カメラ毎の映像信号を検出して信号を出力する信号検出手段と、監視カメラの撮影する監視対象の切換タイミングに略同期する信号を出力する同期タイマーと、これらの検出信号およびタイマー信号を受け取ってオペレータにモニターの注視を促す注視タイミングを報知する報知手段と、を備えることを特徴とする監視促進システム。
【請求項４】
各フロアでカメラが回転して順次に（映像信号は同じ）撮影に対応
前記報知手段は、注視タイミングを音声出力または表示出力により報知することを特徴とする請求項１から３のいずれかに記載の監視促進システム。
【請求項５】
複数個所に設置されている監視カメラの撮影する監視対象の映像を予め設定されている切換タイミングで順次にモニターに出力表示する監視制御を、予め設定されている監視タイミングで繰り返し実行する監視方法に適用して、該モニターの映像を注視することを促して該監視対象の監視を促進する監視促進方法であって、
監視開始タイミング毎にオペレータにモニターの注視を促す音声出力または表示出力を行なうとともに、該監視開始タイミング後の監視切換タイミング毎にもモニターの注視を促す音声出力または表示出力を行なうことを特徴とする監視促進方法。
【発明の詳細な説明】
【技術分野】
【０００１】
本発明は、監視促進システムおよび監視促進方法に関し、詳しくは、複数箇所の監視対象を撮影した映像を順次に切り換えてモニターに表示出力する場合に、その監視映像の見逃しをなくすものに関する。
【背景技術】
【０００２】
従来、監視対象を撮影する監視カメラを設置してその監視カメラの撮影する映像をモニターに表示出力することにより、その監視対象の状態などを監視することが行なわれている。
【０００３】
この種の監視システムとしては、複数箇所を監視対象としている場合があり、このような場合には、その監視箇所毎の監視映像を表示領域を分割したモニター画面に同時に表示出力することが行われている（例えば、特許文献１参照）。
【特許文献１】特開２００１−３０９３６８号公報
【発明の開示】
【発明が解決しようとする課題】
【０００４】
しかしながら、このような従来の監視システムにあっては、複数箇所の監視映像が同時にモニターに表示出力されるため、異常が発生している監視映像がモニターの一部に表示されていたとしても、その異常発生箇所を見逃してしまう場合がある。この問題を解消するためには、複数箇所の監視カメラが撮影する監視対象の映像を順次に切り換えてモニターに表示出力する方式を採用することが考えられる。
【０００５】
しかるに、このような方式を採用する監視システムにあっては、モニターに表示出力する映像は自動的に切り換わるため、オペレータが目を離しているタイミングに異常発生箇所の監視映像が表示出力される場合がある。このような場合には、その異常発生箇所に気が付くことができずに、次回の表示出力で気が付いたとしても対処が遅くなってしまう、という課題がある。
【０００６】
そこで、本発明は、モニターに表示出力する監視対象の映像を自動的に切り換えつつ、オペレータによるモニターの注視を促すことにより、常にモニターに注視する必要をなくすとともに、監視対象の映像の見逃しを回避して、的確な監視作業を実現するのと同時に迅速な対処を可能にする監視促進システムおよび監視促進方法を提供することを目的とする。
【課題を解決するための手段】
【０００７】
上記課題を解決する監視促進システムの第１の発明は、複数個所に設置されている監視カメラの撮影する監視対象の映像を予め設定されている切換タイミングで順次にモニターに出力表示する監視制御を、予め設定されている監視タイミングで繰り返し実行する監視システムに適用して、該モニターの映像を注視することを促して該監視対象の監視を促進する監視促進システムであって、モニターに表示出力する監視カメラ毎の表示タイミングに略同期する信号を出力する同期タイマーと、該同期タイマーからのタイマー信号を受け取ってオペレータに該モニターの注視を促す注視タイミングを報知する報知手段と、を備えることを特徴とするものである。
【０００８】
この発明では、監視カメラ毎に撮影される監視対象の映像がモニターに順次に表示出力される表示・切換タイミングが計時されて、そのタイミングに略同期するタイマー信号に基づいてそのモニターを注視すべき注視タイミングであることがオペレータに報知される。したがって、モニターに自動的に切り換えられつつ表示出力される監視対象の映像を、その表示・切換に合わせてモニターを注視して確認することができ、常にモニターを注視することなく、監視対象の映像を見逃さずに監視することができる。
【０００９】
上記課題を解決する監視促進システムの第２の発明は、複数個所に設置されている監視カメラの撮影する監視対象の映像を予め設定されている切換タイミングで順次にモニターに出力表示する監視制御を、予め設定されている監視タイミングで繰り返し実行する監視システムに適用して、該モニターの映像を注視することを促して該監視対象の監視を促進する監視促進システムであって、モニターに表示出力する監視カメラ毎の映像信号を検出して信号を出力する信号検出手段と、該信号検出手段からの検出信号を受け取ってオペレータにモニターの注視を促す注視タイミングを報知する報知手段と、を備えることを特徴とするものである。
【００１０】
この発明では、監視カメラ毎に撮影される監視対象の映像がモニターに順次に表示出力される表示・切換タイミングが監視カメラの映像信号自体により検出されて、そのタイミングに一致する検出信号に基づいてそのモニターを注視すべき注視タイミングであることがオペレータに報知される。したがって、モニターに自動的に切り換えられつつ表示出力される監視対象の映像を、その表示・切換に合わせてモニターを注視して確認することができ、常にモニターを注視することなく、監視対象の映像を見逃さずに監視することができる。
【００１１】
上記課題を解決する監視促進システムの第３の発明は、複数個所に設置されている監視カメラの撮影する監視対象の映像を予め設定されている切換タイミングで順次にモニターに出力表示する監視制御を、予め設定されている監視タイミングで繰り返し実行する監視システムに適用して、該モニターの映像を注視することを促して該監視対象の監視を促進する監視促進システムであって、モニターに表示出力する監視カメラ毎の映像信号を検出して信号を出力する信号検出手段と、監視カメラの撮影する監視対象の切換タイミングに略同期する信号を出力する同期タイマーと、これらの検出信号およびタイマー信号を受け取ってオペレータにモニターの注視を促す注視タイミングを報知する報知手段と、を備えることを特徴とするものである。
【００１２】
この発明では、監視カメラ毎に撮影される監視対象がその監視カメラの回動などにより切り換えられてモニターに順次に表示出力される場合でも、その監視カメラによる撮影映像の表示開始タイミングが監視カメラ毎の映像信号自体により検出されるとともに、同一の監視カメラにより撮影される監視対象の切換タイミングが計時されて、これらの表示・切換タイミングに略同期する検出信号とタイマー信号に基づいてそのモニターを注視すべき注視タイミングであることがオペレータに報知される。したがって、監視対象を撮影する監視カメラを切り換えつつその監視対象の映像をモニター内で相対移動させるように表示出力させる場合でも、そのモニター内の監視対象の映像をその表示・切換に合わせてモニターを注視して確認することができ、常にモニターを注視することなく、監視対象の映像を見逃さずに監視することができる。
【００１３】
上記課題を解決する監視促進システムの第４の発明は、上記第１から第３のいずれかの発明の特定事項に加え、前記報知手段は、注視タイミングを音声出力または表示出力により報知することを特徴とするものである。
【００１４】
この発明では、監視カメラ毎による監視対象の撮影映像がモニターに順次に表示出力されるタイミングに音声出力または表示出力されて、そのモニターを注視すべき注視タイミングであることがオペレータに報知される。したがって、モニターの設置環境に応じた報知を行うことができ、例えば、監視室ではチャイムなどの音声出力により、また、現場などでは作業中の別モニターにメッセージなどを表示出力することによりオペレータに報知することができる。
【００１５】
上記課題を解決する監視促進方法の第１の発明は、複数個所に設置されている監視カメラの撮影する監視対象の映像を予め設定されている切換タイミングで順次にモニターに出力表示する監視制御を、予め設定されている監視タイミングで繰り返し実行する監視方法に適用して、該モニターの映像を注視することを促して該監視対象の監視を促進する監視促進方法であって、監視開始タイミング毎にオペレータにモニターの注視を促す音声出力または表示出力を行なうとともに、該監視開始タイミング後の監視切換タイミング毎にもモニターの注視を促す音声出力または表示出力を行なうことを特徴としている。
【００１６】
この発明では、監視対象を撮影した監視カメラ毎の映像をモニターに表示出力する監視開始タイミングと共にそのモニターに表示出力する監視対象の映像を順次に切り換える監視切換タイミングに、そのモニターを注視すべき注視タイミングであることがオペレータに報知される。したがって、モニターに自動的に切り換えられつつ表示出力される監視対象の映像を、その表示開始および切換に合わせてモニターを注視して確認することができ、常にモニターを注視することなく、監視対象の映像を見逃さずに監視することができる。
【発明の効果】
【００１７】
このように本発明によれば、監視カメラ毎に監視対象を撮影してモニターに表示出力する監視対象を順次に切り換える場合に、そのモニターを注視すべき注視タイミングであることをオペレータに報知するので、そのモニターに表示出力する監視対象の映像の切換に合わせて注視を繰り返すことができ、常にモニターを注視することなく、監視対象の映像を見逃さずに監視することができる。したがって、負担のない的確な監視作業を実現することができ、監視対象に異常が発生したときでも迅速に対処することができる。
【発明を実施するための最良の形態】
【００１８】
以下、本発明の最良の実施形態を図面に基づいて説明する。図１〜図３は本発明に係る監視促進方法を実施する監視促進システムの第１実施形態を適用した監視システムの一例を示す図である。
【００１９】
図１において、監視システム１０は、複数個所に設置されている監視カメラ１１〜１６を操作パネル２２から設定された各種条件に従って制御盤２１が駆動制御することにより監視対象の撮影映像をモニター２３に順次に表示出力して各所の監視を行うように構築されており、この監視システム１０には、モニター２３を注視する監視作業を確実に行い得るように、監視促進システムが組み込まれている。
【００２０】
この監視システム１０は、例えば、図２に示すように、火力発電所におけるボイラー１００の前面側（Ｆ）と背面側（Ｒ）の各フロア１０１〜１０３毎に設置されているバーナー１１１ａ〜１１６ｄの周囲を撮影可能に監視カメラ１１〜１６が設置されており、制御盤２１のＣＰＵが予め格納されている制御プログラムに従って定期的に監視動作を開始した後に、モニター２３に表示出力する監視カメラ１１〜１６の撮影映像を順次に切り換えるとともに、その監視カメラ１１〜１６を回動させて撮影方向を変位させることにより、カメラ数よりも多い監視対象のボイラー１００のバーナー１１１ａ〜１１６ｄ周りの撮影映像を順次に切り換えてモニター２３に表示出力するように設計されている。
【００２１】
具体的には、監視システム１０の制御盤２１は、ボイラー１００のバーナー１１１ａ〜１１６ｄ周りの監視動作を、内蔵する起動タイマー２１ａからの起動タイマー信号に従って１時間毎に開始するようになっており、この監視動作をボイラー１００の前面側の第１フロア１０１から始めて、その背面側の第３フロア１０６で終了するように設計されている。
【００２２】
この制御盤２１は、監視動作の開始後には、前面側の第１フロア１０１の監視カメラ１１による撮影映像をモニター２３に表示出力するとともに、その撮影方向がボイラー１００のバーナー１１１ａ〜１１１ｄ周りに１分毎に向くように監視カメラ１１を回動させるようになっており、同様の監視動作を前面側の第２フロア１０２の監視カメラ１２、第３フロア１０３の監視カメラ１３と継続した後に、続けて、背面側の第１フロア１０４の監視カメラ１４、第２フロア１０５の監視カメラ１５、第３フロア１０６の監視カメラ１６へと順次に切り換えて繰り返す。すなわち、各監視カメラ１１〜１６は、４分毎に切り換えられつつ回動することによりバーナー１１１ａ〜１１６ｄ周りを１分毎に順次に撮影して、その撮影映像（監視映像）がモニター２３に順次に表示出力される。
【００２３】
そして、この監視システム１０は、音響告知装置２５を接続することにより監視促進システムが組み込まれており、この音響告知装置２５は、制御盤２１から監視カメラ１１〜１６のそれぞれに延長接続されているラインから、その監視カメラ１１〜１６が撮影してモニター２３に表示出力させる映像信号（制御信号でもよい）を検出可能に接続されている。
【００２４】
この音響告知装置２５は、リセット後の予め設定されている時間の経過毎に規定回数の同期タイマー信号を出力する同期タイマー２６を内蔵しており、制御盤２１により切り換えられる監視カメラ１１〜１６毎の信号ラインから映像信号を検出する度にチャイムを鳴動させるように設計されているとともに、また、その監視カメラ１１〜１６の切換の間に同期タイマー２６から同期タイマー信号を受け取る度にもチャイムを鳴動させるように設計されている。
【００２５】
例えば、音響告知装置２５は、制御盤２１と監視カメラ１１〜１６との間の信号ラインから映像信号を検出する度に同期タイマー２６をリセットするとともに、各監視カメラ１１〜１６の回動により撮影するバーナー１１１ａ〜１１６ｄ周りの切換に同期する１分が経過する度に３回の同期タイマー信号を出力するように同期タイマー２６が設定されており、監視カメラ１１〜１６の切換と共に撮影するバーナー１１１ａ〜１１６ｄ周りの切換に合わせてチャイムを鳴動させる。すなわち、音響告知装置２５は、信号検出手段と共に同期タイマーを備えて、オペレータにモニター２３の注視を促す注視タイミングをチャイムにより報知する報知手段を構成している。
【００２６】
これにより、この監視システム１０は、図３に示すように、制御盤２１が内蔵する起動タイマー２１ａからの１時間毎の起動タイマー信号に従ってモニター２３や各監視カメラ１１〜１６の電源をオンするとともに、前面側の第１フロア１０１の監視カメラ１１による撮影映像をモニター２３に表示出力させるのと同時に、音響告知装置２５が同期タイマー２６をリセットするとともにチャイムを鳴動させて、この後には、その同期タイマー２６が１分を計時する毎にチャイムを鳴動させる。
【００２７】
この結果、オペレータは、チャイムの鳴動によりボイラー１００の監視作業の開始を認識してモニター２３の注視が促されることにより、まずは、前面側の第１フロア１０１の監視カメラ１１が撮影するバーナー１１１ａ周りの監視映像をモニター２３で注視・確認することができ、そのモニター２３から目を離していても、次のチャイムの鳴動により同一の監視カメラ１１が次に撮影するバーナー１１１ｂ周りの監視映像をモニター２３で注視・確認することができ、以降同様に、チャイムの鳴動毎にモニター２３を注視して同一の監視カメラ１１が撮影するバーナー１１１ｃ、１１１ｄ周りの監視映像を順次に確認することができる。
【００２８】
この後に、監視システム１０は、制御盤２１が前面側の第２フロア１０２の監視カメラ１２による撮影映像に切り換えてモニター２３に表示出力させるのと同時に、音響告知装置２５が同期タイマー２６をリセットするとともにチャイムを鳴動させて、この後にも、その同期タイマー２６が１分を計時する毎にチャイムを鳴動させる。
【００２９】
この結果、オペレータは、監視カメラが切り換えられた後にも、同様に、そのモニター２３から目を放していても、チャイムの鳴動により次の前面側の第２フロア１０２の監視カメラ１２が撮影するバーナー１１２ａ周りの監視映像をモニター２３で注視・確認することができ、チャイムの鳴動毎にモニター２３を注視して同一の監視カメラ１２が撮影するバーナー１１２ｂ〜１１２ｄ周りの監視映像を順次に確認することができる。
【００３０】
続けて、監視システム１０は、制御盤２１が前面側の第３フロア１０３の監視カメラ１３や背面側の第１〜第３フロア１０４〜１０６の監視カメラ１４〜１６による撮影映像をモニター２３に順次に切換表示させるとともに、音響告知装置２５が同期タイマー２６をその切換表示と同時にリセットしてチャイムを鳴動させ、また、１分を計時する毎にもチャイムを鳴動させる。
【００３１】
この結果、オペレータは、同様に、チャイムの鳴動毎に前面側の第３フロア１０３の監視カメラ１３や背面側の第１〜第３フロア１０４〜１０６の監視カメラ１４〜１６が順次に撮影するバーナー１１３ａ〜１１６ｄ周りの監視映像をモニター２３で順次に注視・確認することができる。
【００３２】
ここで、音響告知装置２５は、最終の背面側の第３フロア１０６の監視カメラ１６に切り換えられた後には、同期タイマー２６がリセットされることはなく、３回の同期タイマー信号も出力済みであるので、監視動作が終了した後にチャイムが繰り返し鳴動されて耳障りになってしまうことはない。
【００３３】
このように本実施形態においては、監視システム１０に追加された音響告知装置２５（監視促進システム）が監視促進方法を実行することにより、監視カメラ１１〜１６が撮影方向を回動させて撮影するボイラー１００のバーナー１１１ａ〜１１６ｄ周りの監視映像をモニター２３に順次に切り換えて表示出力させる場合でも、監視カメラ１１〜１６の切換のタイミングと共に監視対象（バーナー１１１ａ〜１１１ｄ周りなど）の切換のタイミングに同期させてチャイムを鳴動させることができ、モニター２３を注視するタイミングをオペレータに報知することができる。したがって、オペレータは、常に緊張感を持ってモニター２３を注視することを強制されることなく、チャイムの鳴動に従うだけで監視対象のバーナー１１１ａ〜１１６ｄ周りの全てを確認することができ、機器の異常、微粉炭などの漏れ、部品の脱落などによる火炎等の噴出、あるいは、バーナー自体の抜き差し動作などをバーナー１１１ａ〜１１６ｄ周りの監視映像から見逃すことなく、また、負担なく確認することができる。この結果、ボイラー１００のバーナー１１１ａ〜１１６ｄ周りに異常が発生した場合には、迅速に発見して適切に処理することができる。
【００３４】
次に、図４および図５は本発明に係る監視促進方法を実施する監視促進システムの第２実施形態を適用した監視システムの一例を示す図である。ここで、本実施形態では、監視システムが上述実施形態の場合と略同様に構成されているので、図２を流用すると共に、同様の構成には同一に符号を付して特徴部分を説明する（以降で説明する他の実施形態においても同様）。
【００３５】
図４において、監視システム１０は、制御盤２１などとは別個に音響告知装置３５が設置されて監視促進システムが追加されており、音響告知装置３５は、監視動作の開始から終了を計時する監視タイマー３７と、撮影する監視対象の切換に同期する同期タイマー３８と、を備えて、これらのタイマー信号の出力に合わせてチャイムを鳴動させるように設計されている。すなわち、この音響告知装置３５は、同期タイマー３８に監視タイマー３７を合わせることにより、オペレータにモニター２３の注視を促す注視タイミングをチャイムにより報知する報知手段を構成している。
【００３６】
具体的には、この音響告知装置３５の監視タイマー３７は、電源投入時と共に予め設定されている時間が経過する度にタイマー信号を出力するように設計されており、例えば、制御盤２１の内蔵起動タイマー２１ａから出力される１時間毎の起動タイマー信号に同期するように電源投入時と共にその投入後の１時間毎に監視開始タイマー信号を出力するとともに、その起動タイマー信号の出力から監視カメラ１６の撮影するバーナー１１６ｄａ周りの最終の監視映像をモニター２３に表示出力するのと同時に監視終了タイマー信号を出力するように設定されている。
【００３７】
また、この音響告知装置３５の同期タイマー３８は、監視タイマー３７の監視開始タイマー信号を受け取ってから監視終了タイマー信号を受け取るまでの間に、予め設定されている時間の経過毎に同期タイマー信号を出力するように設計されており、例えば、各監視カメラ１１〜１６が撮影するバーナー１１１ａ〜１１６ｄ周りの撮影映像の切換に同期する１分が経過する度に同期タイマー信号を出力するように設定されている。
【００３８】
すなわち、監視システム１０は、上述実施形態と同様に、制御盤２１が内蔵する起動タイマー２１ａからの１時間毎の起動タイマー信号に従ってモニター２３や各監視カメラ１１〜１６の電源をオンするとともに、前面側の第１〜第３フロア１０１〜１０３の監視カメラ１１〜１３や背面側の第１〜第３フロア１０４〜１０６の監視カメラ１４〜１６による撮影映像をモニター２３に順次に切換表示させる。
【００３９】
これと並行して、音響告知装置３５は、図５に示すように、監視システム１０のモニター２３や各監視カメラ１１〜１６の電源オン（制御盤２１の起動タイマー２１ａからの起動タイマー信号）に略同期して、監視タイマー３７が監視開始タイマー信号を出力するとともに、この後には、その監視開始タイマー信号を受け取った同期タイマー３８が１分を計時する毎に同期タイマー信号を出力することにより、これらのタイマー信号を受け取る度にチャイムを鳴動させる。
【００４０】
この結果、オペレータは、チャイムの鳴動によりボイラー１００の監視作業の開始を認識してモニター２３の注視が促されることにより、前面側の第１フロア１０１の監視カメラ１１が撮影するバーナー１１１ａ周りの監視映像をモニター２３で注視・確認することができ、この後にも、１分毎に切り換えられてモニター２３に順次に表示出力される、監視カメラ１１〜１６の撮影するバーナー１１１ｂ〜１１６ｄ周りの監視映像をそのモニター２３から目を離していても、同期するように鳴動するチャイムに従って注視・確認することができる。
【００４１】
そして、最終の背面側の第３フロア１０６の監視カメラ１６によるバーナー１１６ｄの撮影映像がモニター２３に切換表示されるのと合わせて、音響告知装置３５は、同期タイマー３８が同期タイマー信号を出力するとともに、監視タイマー３７が監視終了タイマー信号を出力することにより、チャイムを鳴動させるのと同時に、その監視終了タイマー信号を受け取った同期タイマー３８が同期タイマー信号の出力を終了する。
【００４２】
これにより、音響告知装置３５は、最終の背面側の第３フロア１０６の監視カメラ１６に切り換えられた後には、同期タイマー３８が同期タイマー信号を出力することはなく、監視動作が終了した後にチャイムが繰り返し鳴動されて耳障りになってしまうことはない。
【００４３】
このように本実施形態においては、監視システム１０に追加された音響告知装置３５（監視促進システム）が監視促進方法を実行することにより、上述実施形態と同様に、監視カメラ１１〜１６による監視対象（バーナー１１１ａ〜１１１ｄ周りなど）の撮影映像の切換タイミングに同期させてチャイムを鳴動させることができ、モニター２３を注視するタイミングをオペレータに報知することができる。したがって、ボイラー１００のバーナー１１１ａ〜１１６ｄ周りに異常が発生した場合には、見逃すことなく、迅速に発見して適切に処理することができる。
【００４４】
次に、図６および図７は本発明に係る監視促進方法を実施する監視促進システムの第３実施形態を適用した監視システムの一例を示す図である。
【００４５】
図６において、監視システム１０は、制御盤２１がモニター２３の電源をオン／オフする信号を検出可能に音響告知装置４５が接続されて監視促進システムが追加されており、音響告知装置４５は、モニター２３のオン／オフ信号により監視動作の開始と終了を検知するとともに、その監視動作中に撮影する監視対象の切換に同期する同期タイマー信号を出力する同期タイマー４９を備えて、これらのオン／オフ信号と同期タイマー信号の出力に合わせてチャイムを鳴動させるように設計されている。すなわち、この音響告知装置４５は、同期タイマーを備えて、オペレータにモニター２３の注視を促す注視タイミングをチャイムにより報知する報知手段を構成している。
【００４６】
具体的には、この音響告知装置４５の同期タイマー４９は、モニター２３のオン信号を受け取ってからそのオフ信号を受け取るまでの間に、予め設定されている時間の経過毎に同期タイマー信号を出力するように設計されており、例えば、各監視カメラ１１〜１６が撮影するバーナー１１１ａ〜１１６ｄ周りの撮影映像の切換に同期する１分が経過する度に同期タイマー信号を出力するように設定されている。なお、ここでは、音響告知装置４５は、モニター２３のオフ信号と共に同期タイマー４９から同期タイマー信号も同時に受け取ることになるので、監視動作終了時にもチャイムが鳴動する。
【００４７】
すなわち、監視システム１０は、上述実施形態と同様に、制御盤２１が内蔵する起動タイマー２１ａからの１時間毎の起動タイマー信号に従ってモニター２３や各監視カメラ１１〜１６の電源をオンするとともに、前面側の第１〜第３フロア１０１〜１０３の監視カメラ１１〜１３や背面側の第１〜第３フロア１０４〜１０６の監視カメラ１４〜１６による撮影映像をモニター２３に順次に切換表示させる。
【００４８】
これと並行して、音響告知装置４５は、図７に示すように、監視システム１０のモニター２３や各監視カメラ１１〜１６の電源オン（制御盤２１の起動タイマー２１ａからの起動タイマー信号）に同期して、そのモニター２３のオン信号を受け取るとともに、この後には、そのオン信号を受け取った同期タイマー４９が１分を計時する毎に同期タイマー信号を出力することにより、これらのオン信号と同期タイマー信号を受け取る度にチャイムを鳴動させる。
【００４９】
この結果、オペレータは、チャイムの鳴動によりボイラー１００の監視作業の開始を認識してモニター２３の注視が促されることにより、前面側の第１フロア１０１の監視カメラ１１が撮影するバーナー１１１ａ周りの監視映像をモニター２３で注視・確認することができ、この後にも、１分毎に切り換えられてモニター２３に順次に表示出力される、監視カメラ１１〜１６の撮影するバーナー１１１ｂ〜１１６ｄ周りの監視映像をそのモニター２３から目を離していても、同期するように鳴動するチャイムに従って注視・確認することができる。
【００５０】
そして、最終の背面側の第３フロア１０６の監視カメラ１６によるバーナー１１６ｄの撮影映像がモニター２３に切換表示された後に、この監視動作が終了してモニター２３の電源がオフされるのと合わせて、音響告知装置４５は、そのオフ信号と共に同期タイマー４９から同期タイマー信号を受け取ることによりチャイムを鳴動させるのと同時に、そのオフ信号を受け取った同期タイマー４９が同期タイマー信号の出力を終了する。
【００５１】
これにより、音響告知装置４５は、監視動作が終了した後には、同期タイマー４９が同期タイマー信号を出力することはなく、監視動作が終了した後にチャイムが繰り返し鳴動されて耳障りになってしまうことはない。
【００５２】
このように本実施形態においては、監視システム１０に追加された音響告知装置４５（監視促進システム）が監視促進方法を実行することにより、上述実施形態と同様に、監視カメラ１１〜１６による監視対象（バーナー１１１ａ〜１１１ｄ周りなど）の撮影映像の切換タイミングに同期させてチャイムを鳴動させることができ、モニター２３を注視するタイミングをオペレータに報知することができる。したがって、ボイラー１００のバーナー１１１ａ〜１１６ｄ周りに異常が発生した場合には、見逃すことなく、迅速に発見して適切に処理することができる。
【００５３】
ここで、上述実施形態では、チャイムによりモニター２３を注視すべきタイミングを報知する場合を説明するが、これに限るものではないことは言うまでもなく、例えば、予め準備されている音声メッセージを音声出力してもよく、また、オペレータの操作するワークステーションのディスプレーなどに予め準備されている画像を作業エリアの脇で点滅させたり、テキストデータのメッセージを表示出力させるようにしても良い。
【００５４】
また、上述実施形態では、監視動作中に一定間隔で連続的に監視映像が切り換えられる場合を一例に説明するが、これに限るものではなく、例えば、不連続の間隔で切り換えられる場合にも複数のタイマーを組み合わせるなどして適用することができ、また、撮影方向を回動させることなく固定映像を切り換えて監視する場合には、タイマーを用いることなく、監視映像の切換（映像信号など）を検出してチャイムを鳴動させればよい。
【産業上の利用可能性】
【００５５】
これまで本発明の一実施形態について説明したが、本発明は上述の実施形態に限定されず、その技術的思想の範囲内において種々異なる形態にて実施されてよいことは言うまでもない。
【図面の簡単な説明】
【００５６】
【図１】本発明に係る監視促進方法を実施する監視促進システムの第１実施形態を適用した監視システムの一例を示す図であり、その概略全体構成を示すブロック図である。
【図２】その監視システムの設置場所の一例を示す図であり、（ａ）はその一部を示す平面図、（ｂ）はその一部を示す立面図である。
【図３】その監視映像の切換タイミングとチャイムの鳴動タイミングとを示すタイミングチャートである。
【図４】本発明に係る監視促進方法を実施する監視促進システムの第２実施形態を適用した監視システムの一例を示す図であり、その概略全体構成を示すブロック図である。
【図５】その監視映像の切換タイミングとチャイムの鳴動タイミングとを示すタイミングチャートである。
【図６】本発明に係る監視促進方法を実施する監視促進システムの第３実施形態を適用した監視システムの一例を示す図であり、その概略全体構成を示すブロック図である。
【図７】その監視映像の切換タイミングとチャイムの鳴動タイミングとを示すタイミングチャートである。
【符号の説明】
【００５７】
１０……監視システム    １１〜１６……監視カメラ    ２１……制御盤    ２１ａ……起動タイマー    ２２……操作パネル    ２３……モニター    ２５、３５、４５……音響告知装置    ２６、３８、４９……同期タイマー    ３７……監視タイマー    １００……ボイラー    １０１〜１０３……前面側フロア    １０４〜１０６……背面側フロア    １１１ａ〜１１６ｄ……バーナー
【図１】
2008098780.tif 000003
【図２】
2008098780.tif 000004
【図３】
2008098780.tif 000005
【図４】
2008098780.tif 000006
【図５】
2008098780.tif 000007
【図６】
2008098780.tif 000008
【図７】
2008098780.tif 000009
【手続補正書】
【提出日】平成18年11月10日(2006.11.10)
【手続補正１】
【補正対象書類名】特許請求の範囲
【補正対象項目名】請求項４
【補正方法】変更
【補正の内容】
【請求項４】
前記報知手段は、注視タイミングを音声出力または表示出力により報知することを特徴とする請求項１から３のいずれかに記載の監視促進システム。